(57)【特許請求の範囲】
【請求項１】
第１映像信号の入力を受け付ける第１映像信号入力部と、第２映像信号の入力を受け付ける第２映像信号入力部と、映像切替信号を発生させる映像切替スイッチと、第１及び第２映像信号から生成される出力映像信号を前記映像切替信号の状態に基づいて第１出力映像信号と第２出力映像信号の間で切り替える映像切替部と、前記映像切替部がスイッチャーモードとリターン映像表示モードの何れで動作をするのかを選択するモード選択部とを備える映像切替装置であって、
前記映像切替部は、前記スイッチャーモードでは前記映像切替スイッチが操作される度に前記出力映像信号を第１出力映像信号と第２出力映像信号の間で切り替えるように構成され、前記リターン映像表示モードでは前記映像切替スイッチが操作されていない間は前記出力映像信号を第１出力映像信号とし、前記映像切替スイッチが操作されている間は前記出力映像信号を第２出力映像信号にするように構成される、映像切替装置。
【請求項２】
前記映像切替スイッチは、前記映像切替装置に設けられるか、又は前記映像切替装置に接続されたリモコンに設けられる、請求項１に記載の装置。
【請求項３】
前記映像切替装置に接続されるビデオカメラ用ズームリモコンを備え、
前記ズームリモコンは、前記映像切替信号を含むリモコン信号を発生させるように構成され、
前記映像切替装置は、前記リモコン信号の入力を受け付けるリモコン信号入力部と、前記リモコン信号から前記映像切替信号を除いた制御信号を出力する制御信号出力部を備える、請求項１又は請求項２に記載の装置。
【発明の詳細な説明】
【技術分野】
【０００１】
本発明は、ビデオスイッチャーの機能と、リターン映像を表示させるためのアダプタとして機能を有する映像切替装置に関する。
【背景技術】
【０００２】
ビデオカメラを２台使用して現場で映像を切替える時はビデオスイッチャーを使用する。一般のビデオカメラのビューファインダーは、カメラ本体に装着されたレンズのリターン映像表示スイッチを押すことにより、カメラマンが撮影している映像と、スイッチャーからのリターン映像とを切替えて表示することができる。
【発明の概要】
【発明が解決しようとする課題】
【０００３】
ビューファインダーは、カメラごとの専用設計又はカメラメーカー専用（コネクタも専用）になっているため、他社との互換が無い。専用カメラをもたないカメラマンも多く、撮影現場によって、カメラの機種が異なる場合が多々あり映像を撮影する際のビューファインダーやモニターも社外品が多い。このため、リターン映像を撮影用のビューファインダーに表示させることができず、やむを得ず撮影用のビューファインダー（モニター）とは別にリターン映像を常時もう１台のモニターに出力して確認しながら撮影する場合があった。
【０００４】
また、ビデオカメラの低価格化と高画質化が進み、安価なビデオスイッチャーシステムが求められている。
【０００５】
本発明はこのような事情に鑑みてなされたものであり、ビデオスイッチャーの機能と、リターン映像を表示させるためのアダプタとして機能を有する映像切替装置を提供するものである。
【課題を解決するための手段】
【０００６】
本発明によれば、第１映像信号の入力を受け付ける第１映像信号入力部と、第２映像信号の入力を受け付ける第２映像信号入力部と、映像切替信号を発生させる映像切替スイッチと、第１及び第２映像信号から生成される出力映像信号を前記映像切替信号の状態に基づいて第１出力映像信号と第２出力映像信号の間で切り替える映像切替部と、前記映像切替部がスイッチャーモードとリターン映像表示モードの何れで動作をするのかを選択するモード選択部とを備える映像切替装置であって、前記映像切替部は、前記スイッチャーモードでは前記映像切替スイッチが操作される度に前記出力映像信号を第１出力映像信号と第２出力映像信号の間で切り替えるように構成され、前記リターン映像表示モードでは前記映像切替スイッチが操作されていない間は前記出力映像信号を第１出力映像信号とし、前記映像切替スイッチが操作されている間は前記出力映像信号を第２出力映像信号にするように構成される、映像切替装置が提供される。
【０００７】
本発明の映像切替装置は、スイッチャーモードとリターン映像表示モードという２つの動作モードを有していることを特徴としている。この映像切替装置には２つの映像信号を入力することができ、映像切替スイッチの操作（押しボタンスイッチの場合はスイッチの押下、トグルスイッチの場合はレバーの移動）に基づいて、出力映像信号が第１出力映像信号と第２出力映像信号の間で切り替えられる。
【０００８】
スイッチャーモードでは、本発明の映像切替装置は、２台のビデオカメラからの映像を切り替えて出力するビデオスイッチャーとして機能する。このモードでは、図１に示すように、２台のビデオカメラからの第１及び第２ビデオカメラ映像信号が映像切替装置に入力され、映像切替スイッチを操作する度に出力映像信号が第１出力映像信号と第２出力映像信号の間で切り替わる。このため、映像切替装置からの出力映像信号を録画装置に入力することによって、映像切替スイッチが操作されたタイミングに従って２台のビデオカメラからの２つの映像が切り替えられた映像を録画することができる。
【０００９】
リターン映像表示モードでは、本発明の映像切替装置は、専用ＣＣＵを用いることなく、ビデオスイッチャーからのリターン映像を表示装置（ビューファインダー又はモニター）に表示させることを可能にするためのアダプタとして機能する。このモードでは、１台のビデオカメラからのビデオカメラ映像信号と、ビデオスイッチャーからのリターン映像信号が映像切替装置に入力され、映像切替スイッチが操作されている間にのみ出力映像信号が第１出力映像信号から第２出力映像信号に切り替わる。このため、単に、映像切替スイッチから指を離すことによって、出力映像信号を第２出力映像信号から第１出力映像信号に戻すことができ、操作性に優れている。
【００１０】
以上のように、本発明の映像切替スイッチは、スイッチャーモードとリターン映像表示モードとで、映像切替スイッチが操作されたときの動作が異なるので、スイッチャーモードではビデオスイッチャーとして利用でき、リターン映像表示モードではリターン映像を表示させるためのアダプタとして利用することができる。
【００１１】
以下、本発明の種々の実施形態を例示する。以下に示す実施形態は互いに組み合わせ可能である。
好ましくは、前記映像切替スイッチは、前記映像切替装置に設けられるか、又は前記映像切替装置に接続されたリモコンに設けられる。
好ましくは、前記映像切替装置に接続されるビデオカメラ用ズームリモコンを備え、前記ズームリモコンは、前記映像切替信号を含むリモコン信号を発生させるように構成され、前記映像切替装置は、前記リモコン信号の入力を受け付けるリモコン信号入力部と、前記リモコン信号から前記映像切替信号を除いた制御信号を出力する制御信号出力部を備える。
【図面の簡単な説明】
【００１２】
【図１】本発明の一実施形態に基づく映像切替装置Ａのスイッチャーモードでの使用を示す接続図である。
【図２】本発明の一実施形態に基づく映像切替装置Ａのリターン映像表示モードでの使用を示す接続図である。
【図３】本発明の一実施形態に基づく映像切替装置Ａの正面図である。
【図４】本発明の一実施形態に基づく映像切替装置Ａの背面図である。
【図５】リモコン信号から映像切替信号を除いた制御信号Ｃを出力する回路の一例を示す。
【図６】（ａ）は第１ビデオカメラ映像信号による映像Ｖ１の一部を、第２ビデオカメラ映像信号による映像を縮小した映像ＳＶ２で置き換えた映像を示し、（ｂ）は第２ビデオカメラ映像信号による映像Ｖ２の一部を、第１ビデオカメラ映像信号による映像を縮小した映像ＳＶ１で置き換えた映像を示す。
【図７】ビデオカメラ映像信号による映像Ｖの一部を、リターン映像信号によるリターン映像を縮小した映像ＳＲで置き換えた映像を示す。
【図８】２台の映像切替装置Ａを用いてビデオスイッチャーシステムを構築した例を示す接続図である。
【図９】ペン型スイッチリモコン８０の正面図である。
【発明を実施するための形態】
【００１３】
以下、図面を用いて本発明の実施形態について説明する。以下に示す実施形態中で示した各種特徴事項は、互いに組み合わせ可能である。また、各特徴事項について独立して発明が成立する。
【００１４】
図１に示すように、映像切替装置Ａは、第１映像信号の入力を受け付ける第１映像信号入力部１と、第２映像信号の入力を受け付ける第２映像信号入力部３と、映像切替信号を発生させる映像切替スイッチと、第１映像信号と第２映像信号から生成される出力映像信号を前記映像切替信号の状態に基づいて第１出力映像信号と第２出力映像信号の間で切り替える映像切替部９と、映像切替部９がスイッチャーモードとリターン映像表示モードの何れで動作をするのかを選択するモード選択部とを備え、映像切替部９は、前記スイッチャーモードでは映像切替スイッチが操作される度に前記出力映像信号を第１出力映像信号と第２出力映像信号の間で切り替えるように構成され、前記リターン映像表示モードでは前記映像切替スイッチが操作されていない間は前記出力映像信号を第１出力映像信号とし、前記映像切替スイッチが操作されている間は前記出力映像信号を第２出力映像信号にするように構成される。
【００１５】
映像切替装置Ａは、本体部１０に設けられた電源スイッチ５１を操作することによってＯＮ／ＯＦＦすることができる。
【００１６】
本実施形態では、図３に示すように、モード選択部は、本体部１０に設けられたつまみ形セレクタスイッチ１１であり、スイッチ１１のつまみを移動させることによってスイッチャーモードとリターン映像表示モードの間でモードの切り替えが可能になっている。
【００１７】
図１に示すように、映像切替装置Ａの箱状の本体部１０には、第１及び第２映像信号を入力するための入力端子（例：ＢＮＣ端子）１３，１５が設けられている。図１に示すスイッチャーモードでは、第１及び第２ビデオカメラ１７，１９の出力端子に一端が接続されたケーブルの他端を入力端子１３，１５に接続することによって、第１及び第２ビデオカメラ１７，１９から出力された第１及び第２ビデオカメラ映像信号を第１及び第２映像信号入力部１，３に入力することができる。図２に示すリターン映像表示モードでは、ビデオカメラ３３の出力端子に一端が接続されたケーブルの他端を入力端子１３に接続することによってビデオカメラ３３から出力されたビデオカメラ映像信号を第１映像信号入力部１に入力することができる。また、ビデオスイッチャー３５のリターン映像信号出力端子に一端が接続されたケーブルの他端を入力端子１５に接続することによってビデオスイッチャー３５から出力されたリターン映像信号を第２映像信号入力部３に入力することができる。なお、本明細書において、映像信号の種類は限定されず、コンポジット信号、ＨＤ−ＳＤＩ信号、ＳＤ−ＳＤＩ信号、ＨＤ−コンポーネントなどビデオカメラの信号に基づき信号の種類を構成してもよい。
【００１８】
図３に示すように、本体部１０にはＬＥＤインジケータ４７，４９が設けられており、第１及び第２映像信号入力部１，３に映像信号が入力されると、ＬＥＤインジケータ４７，４９が点灯するようになっている。
【００１９】
映像切替装置Ａの箱状の本体部１０には、ビデオカメラレンズ用ズームリモコン２１を接続するための入力端子２３が設けられている。ズームリモコン２１は、映像切替信号を含むリモコン信号を発生させるように構成されている。ズームリモコン２１は、例えば、日本ビデオシステム社製のカメラ用ズームリモコンＡＳ−１である。ズームリモコン２１には、例えば、リターン映像表示ボタン、録画開始／停止ボタン、及びズームレバーが設けられており、この場合、ズームリモコン２１が出力するリモコン信号には、映像切替信号（リターン映像表示信号）に加えて、録画開始／停止信号及びズーム信号が含まれる。なお、入力端子２３には、リターン映像表示ボタンのみを有するリモコンを接続してもよい。このようなリモコンの例としては、図９に示すような、ペン型スイッチリモコン８０が挙げられる。リモコン８０は、出力端子８１を入力端子２３に接続し、スイッチ８２を押下することによって映像切替信号を発生させることができる。
【００２０】
映像切替装置Ａには、リモコン信号の入力を受け付けるリモコン信号入力部２５と、リモコン信号から映像切替信号を除いた制御信号Ｃを出力する制御信号出力部２７が設けられている。制御信号Ｃは、制御信号出力端子２９から出力される。リモコン信号から映像切替信号を除いた制御信号Ｃを出力する回路の一例は、図５に示す通りである。スイッチャーモードでは、制御信号Ｃは通常は使用しないので、制御信号出力端子２９には何も接続されない。リターン映像表示モードでは、制御信号Ｃは、ビデオカメラ３３に入力される。これによって、ビデオカメラ３３の録画開始／停止及びズーム調整などが可能になる。ビデオカメラ３３の中には映像切替信号が入力されると、ビデオカメラ３３で直前に録画した映像（以下、「直前録画映像」）を出力させるという仕様になっているものがあるので、ビデオカメラ３３が直前録画映像を出力することを防止するために、映像切替信号以外の制御信号Ｃをビデオカメラ３３に入力している。
【００２１】
本実施形態では、映像切替スイッチとして、本体部１０に設けられた押しボタンスイッチ５と、ズームリモコン２１に設けられた押しボタンスイッチ（リターン映像表示ボタン）７が設けられている。押しボタンスイッチ５，７のどちらを押下した場合でも、押下している間にのみ、映像切替信号の状態がＬ（ロー）からＨ（ハイ）又は、ＨからＬに切り替わり、その状態変化が映像切替部９及びタリー信号出力部３７に入力される。タリー信号出力部３７は、映像切替信号の状態に基づいてタリー信号出力端子３９，４１からタリー信号を出力する。
【００２２】
以下、押しボタンスイッチ５，７を押下していないときは映像切替信号がＬであり、押しボタンスイッチ５，７を押下している間にのみ映像切替信号がＨに変化する場合を例に挙げて映像切替部９の動作の説明を進める。
【００２３】
図１に示すスイッチャーモードでは、押しボタンスイッチ５，７が押下されていない状態では、映像選択部９は、第１映像入力部１に入力された第１ビデオカメラ映像信号を出力映像信号として映像出力端子３１から出力する。本実施形態では、映像出力端子３１には、録画装置４３に一端が接続されたケーブルの他端が接続されているので、第１ビデオカメラ映像信号からなる出力映像信号（第１出力映像信号）が録画装置４３に入力されて記録される。
【００２４】
次に、押しボタンスイッチ５，７を指で押下すると、映像切替信号がＬからＨに変化し、映像切替部９はこの変化を検知して出力映像信号を第２ビデオカメラ映像信号に切り替える。この時点から、録画装置４３は、第２ビデオカメラ映像信号からなる出力映像信号（第２出力映像信号）の記録を開始する。
【００２５】
押しボタンスイッチ５，７から指を離すと、映像切替信号がＨからＬに変化するが、映像切替部９は、第２ビデオカメラ映像信号の出力を継続する。出力映像信号を切り替える際のトランジションタイムは、本体部１０に設けられた調整ボリューム５３を用いて調整することができる。トランジションタイムは、本体部１０に設けられた表示部５５に表示される。なお、映像切替部９は、出力映像信号を第２ビデオカメラ映像信号に切り替える代わりに、例えば、図６（ａ）に示すように、第１ビデオカメラ映像信号による映像Ｖ１の一部を、第２ビデオカメラ映像信号による映像を縮小した映像ＳＶ２で置き換えた映像に対応する映像信号を出力映像信号（第２出力映像信号）として出力してもよい。
【００２６】
次に、押しボタンスイッチ５，７を指で押下すると、映像切替信号がＬからＨに変化し、映像切替部９はこの変化を検知して出力映像信号を第１ビデオカメラ映像信号に切り替える。この時点から、録画装置４３は、第１ビデオカメラ映像信号からなる出力映像信号（第１出力映像信号）の記録を開始する。押しボタンスイッチ５，７から指を離すと、映像切替信号がＨからＬに変化するが、映像切替部９は、第１ビデオカメラ映像信号の出力を継続する。なお、映像切替部９は、出力映像信号を第１ビデオカメラ映像信号に切り替える代わりに、例えば、図６（ｂ）に示すように、第２ビデオカメラ映像信号による映像Ｖ２の一部を、第１ビデオカメラ映像信号による映像を縮小した映像ＳＶ１で置き換えた映像に対応する映像信号を出力映像信号（第１出力映像信号）として出力してもよい。
【００２７】
このように、スイッチャーモードでは、映像切替部９は、押しボタンスイッチ５，７が押下される度に出力映像信号を第１出力映像信号と第２出力映像信号の間で切り替える。スイッチャーモードでは、押しボタンスイッチ５，７から指を離したときに出力映像信号が切り替わると不便であるので、押しボタンスイッチ５，７から指を離したときには映像切替部９は、出力映像信号を切り替えないようになっている。
【００２８】
図２に示すリターン映像表示モードでは、押しボタンスイッチ５，７が押下されていない状態では、映像選択部９は、第１映像入力部１に入力されたビデオカメラ映像信号を出力映像信号（第１出力映像信号）として映像出力端子３１から出力する。本実施形態では、映像出力端子３１には、表示装置４５に一端が接続されたケーブルの他端が接続されているので、ビデオカメラ映像信号からなる出力映像信号が表示装置４５に入力されて表示される。表示装置４５は、ビデオカメラ３３を用いて撮影を行うカメラマンが、自分が撮影している映像（ビデオカメラ映像）又はビデオスイッチャー３５からのリターン映像を見るために用いられることが想定されており、ビデオカメラ３３に隣接して配置される。表示装置４５としては、ビデオカメラ３３に装着されているビューファインダーや、ビデオカメラ３３に隣接して配置されているモニターが挙げられる。リターン映像は、ビデオスイッチャー３５が現在採用している映像であり、カメラマンは、リターン映像を確認することによって、興味深いテレビ番組を作成するために自分が次にどのような映像を撮影すべきであるかを自発的に判断することができる。
【００２９】
次に、押しボタンスイッチ５，７を指で押下すると、映像切替信号がＬからＨに変化し、映像切替部９はこの変化を検知して出力映像信号をリターン映像信号（第２出力映像信号）に切り替える。この時点から、表示装置４５は、リターン映像信号に対応したリターン映像の表示を開始する。なお、映像切替部９は、出力映像信号をリターン映像信号に切り替える代わりに、例えば、図７（ａ）に示すように、ビデオカメラ映像信号による映像Ｖの一部を、リターン映像信号によるリターン映像を縮小した映像ＳＲで置き換えた映像に対応する映像信号を出力映像信号（第２出力映像信号）として出力してもよい。
【００３０】
押しボタンスイッチ５，７から指を離すと、映像切替信号がＨからＬに変化し、映像切替部９は、出力映像信号をビデオカメラ映像信号に切り替える。
【００３１】
このように、リターン映像表示モードでは、映像切替部９は、押しボタンスイッチ５，７が押下されている間にのみリターン映像を表示させる。スイッチャーモードであっても押しボタンスイッチ５，７を押下させることによってリターン映像を表示させることはできるが、その場合、押しボタンスイッチ５，７から指を離してもリターン映像が表示されたままになる。そして、リターン映像を表示させないようにするためには、押しボタンスイッチ５，７を再度押下する必要があって煩わしい。一方、リターン映像表示モードでは、押しボタンスイッチ５，７から指を離すだけでリターン映像を表示させないようにすることができるので、操作性が優れている。
【００３２】
このように、本実施形態の映像切替装置Ａは、ビデオスイッチャーとして利用でき、リターン映像表示モードではリターン映像を表示させるためのアダプタとして利用することができる。このため、本実施形態の映像切替装置Ａを２台準備し、１台をスイッチャーモードに設定し、もう１台をリターン映像表示モードに設定し、図８に示すように配線することによって、ビデオスイッチャーシステムを構築することができる。このシステムでは、高価なビデオスイッチャーを別途準備する必要がなく、リターン映像を表示させるために専用のＣＣＵを用いる必要がない。従って、現場で使用するビデオカメラの種類によらずに、容易かつ安価にビデオスイッチャーシステムを構築することができる。
【要約】      （修正有）【課題】ビデオスイッチャーの機能と、リターン映像を表示させるためのアダプタとして機能を有する映像切替装置を提供する。【解決手段】第１映像信号の入力を受け付ける第１映像信号入力部１と、第２映像信号の入力を受け付ける第２映像信号入力部３と、映像切替信号を発生させる映像切替スイッチ５と、第１及び第２映像信号から生成される出力映像信号を映像切替信号の状態に基づいて第１出力映像信号と第２出力映像信号の間で切り替える映像切替部９と、映像切替部がスイッチャーモードとリターン映像表示モードの何れで動作をするのかを選択するモード選択部１１とを備える映像切替装置である。映像切替部は、スイッチャーモードでは映像切替スイッチが操作される度に出力映像信号を第１出力映像信号と第２出力映像信号の間で切り替える。【選択図】図１【図１】
0005894697.tif 000002
【図２】
0005894697.tif 000003
【図３】
0005894697.tif 000004
【図４】
0005894697.tif 000005
【図５】
0005894697.tif 000006
【図６】
0005894697.tif 000007
【図７】
0005894697.tif 000008
【図８】
0005894697.tif 000009
【図９】
0005894697.tif 000010